(57)【要約】【課題】人感センサ装置からの検出情報や緊急通報情報を受信する親機側での機能の省略を図った通報システムを提供することにある。【解決手段】親機本体５に装着された携帯電話機４に対して親機３は一定時間毎に時刻情報を送るように要求する。この要求に応じて親機３に対して携帯電話機４は現在の時刻情報を送る。一方各人感センサ装置１は検出情報を一定時間毎に送信し、親機３では受信する検出情報を一定期間蓄積するとともに携帯電話機４から時刻情報が送られてくる度に設定時刻とを比較し、時刻情報と設定時刻とが一致すると、電子メールの発呼送信を携帯電話機４に要求するとともに、蓄積している検出情報を携帯電話機４に送出する。携帯電話機４は要求に応えて予め登録されている見守り側のメールアドレスに検出情報を電子メールとして発呼送信する。【選択図】図１
2004258781.tif 000002
【特許請求の範囲】
【請求項１】
見守り対象者の宅内に設置されて、見守り対象者の宅内行動を検出し、その検出情報を定期的に無線電波で送信する１乃至複数の人感センサ装置と、
操作釦が操作されると、緊急事態発生を示す緊急通報情報を無線電波で送信する緊急通報発信器と、
携帯電話機が装着されると該携帯電話機の電源用充電電池を充電する充電器機能と、前記人感センサ装置及び緊急通報発信器からの無線電波を受信する受信機能と、受信される前記検出情報を一定期間蓄積する機能と、装着状態の前記携帯電話機との間で情報授受を行うインターフェース機能と、設定時刻になると又は前記携帯電話機に検出情報要求を示す電子メールが着信したことを示す情報をインターフェース機能を通じて受け取ると、蓄積されている検出情報をインターフェース機能を通じて携帯電話機に渡すとともに前記携帯電話機から所定のメールアドレス宛に電子メールとして送信させる指示情報を与える機能と、緊急通報情報を受信すると、前記携帯電話機から所定の電話番号先に発呼させる指示をインターフェース機能を通じて与える機能とを備えている親機とを見守り対象者宅設備として設け、
前記携帯電話機には前記親機に装着されると前記インターフェース機能と接続されて親機との間で情報の授受を行うインターフェース機能を備えるとともに、前記親機からの指示情報に基づいて前記親機から受け取った検出情報を電子メールとして前記所定のメールアドレス宛に発呼送信するメール機能と、前記親機から緊急通報の発呼の指示情報があると、所定の電話番号に対する発呼を行う発呼機能を備えていることを特徴とする通報システム。
【請求項２】
前記メールアドレスは前記携帯電話機に予め登録されているメールアドレスであることを特徴とする請求項１記載の通報システム。
【請求項３】
前記発呼先の電話番号は携帯電話機に予め登録されている電話番号であることを特徴とする請求項１又は２記載の通報システム。
【請求項４】
前記親機で前記設定時刻と比較する現在時刻の時計情報をインターフェース機能を介して携帯電話機の時計機能から受け取ることを特徴とする請求項１乃至３の何れか記載の通報システム。
【請求項５】
前記親機には装着された前記携帯電話機が発呼した電話番号先との間で通話路が確立されたときに前記携帯電話機を通じて通話音声の送受を行う通話手段を備えていることを特徴とする請求項１乃至４の何れか記載の通報システム。
【請求項６】
前記携帯電話機には、携帯時にＧＰＳ衛星からのＧＰＳ電波を受信して当該携帯電話機の位置情報を取得するＧＰＳ機能を備えるとともに、取得した位置情報を携帯電話用通信網を通じてセンターサーバへ転送する機能を備え、
前記センターサーバには転送されてくる位置情報を前記携帯電話機毎に識別できるように保持し、前記携帯電話用通信網を通じて端末からのアクセスにより指示された携帯電話機の位置情報を前記端末側へ携帯電話用通信網を通じて送出する機能を備えていることを特徴とする請求項１乃至５の何れか記載の通報システム。
【請求項７】
前記携帯電話機には、所定の電話番号先に発呼を行う発呼釦を備え、該発呼釦の操作時に前記所定の電話番号先に発呼を行って当該電話番号先の端末に対して取得している当該携帯電話機の位置情報を転送するとともに、電話番号先の端末との間で通話路を確立させる機能を備えていることを特徴とする請求項６記載の通報システム。
【発明の詳細な説明】
【０００１】
【発明の属する技術分野】
本発明は、高齢者の安否を確認する通報システムに関するものである。
【０００２】
【従来の技術】
従来、公衆電話回線に接続された親機に対して緊急通報用のワイヤレス発信器から緊急通報発信があると、これを受信して予め登録されている通報先に発呼し、通報先にメッセージを送る緊急通報システムが提供されている（例えば特許文献１、特許文献２）
また見守り対象者が人体に装着したリモート制御手段が、見守り対象者に緊急事態発生が発生したときに見守り対象者が携行する携帯端末機からセンター局へＧＰＳを利用して取得した位置情報を発信する緊急通報装置が提供されている。（例えば特許文献３）
【０００３】
【特許文献１】
特開平９−１６８８０号公報（段落番号（００１９〜（００２０））
【特許文献２】
特開２００２−１９９１２６号公報（添付図面第１図）
【特許文献３】
特開２００２−１６３７４２号公報（段落番号（００１７）、（００１８））
【０００４】
【発明が解決しようとする課題】
上記の特許文献１，２に示される従来例では公衆電話回線に接続された親機が必要で、そのために親機には信号を受信する装置以外に通報のための電話機能を備えている必要があり、しかも発信器側を持って外出しても親機の受信圏外では使えない。
【０００５】
一方特許文献３に示される従来例は、位置情報を取得できる携帯端末器以外に異常検知のためのリモート制御手段を見守り対象者が携行しなければならない。
【０００６】
しかも携帯端末器を充電しているような場合には使用することができず、そのため特許文献１，２に示されるような装置を別途設ける必要があり、見守り対象者の経済的な負担が大きいという問題がある。
【０００７】
本発明は、上述の問題点に鑑みて為されたもので、その目的とするところは、在宅中の見守り対象者の宅内での行動検出を行う人感センサ装置からの検出情報を定期的又は要求に応じて外部へ送信する機能として携帯電話機のメール送信機能を利用し、また緊急通報発信器からの緊急通報情報に基づく通報に用いる通信機能を携帯電話機の機能を利用して行い、人感センサ装置からの検出情報や緊急通報情報を受信する親機側での機能の省略が図れ、コスト的にも安価な通報システムを提供することにある。
【０００８】
加えて請求項６の発明では、前記目的に加えて、見守り対象者が携帯電話機を携行して外出しているときに、見守り対象者の位置を把握することができる通報システムを提供することにある。
【０００９】
更に請求項７の発明では、請求項６の目的に加えて、見守り対象者自身の操作で、携行中の携帯電話機から所定の電話番号先の端末に位置情報の送信と電話番号先の端末との間で通話を可能とし、外出中の緊急事態発生にも対応することができる通報システムを提供することにある。
【００１０】
【課題を解決するための手段】
上記目的を達成するために、請求項１の発明では、見守り対象者の宅内に設置されて、見守り対象者の宅内行動を検出し、その検出情報を定期的に無線電波で送信する１乃至複数の人感センサ装置と、
操作釦が操作されると、緊急事態発生を示す緊急通報情報を無線電波で送信する緊急通報発信器と、
携帯電話機が装着されると該携帯電話機の電源用充電電池を充電する充電器機能と、前記人感センサ装置及び緊急通報発信器からの無線電波を受信する受信機能と、受信される前記検出情報を一定期間蓄積する機能と、装着状態の前記携帯電話機との間で情報授受を行うインターフェース機能と、設定時刻になると又は前記携帯電話機に検出情報要求を示す電子メールが着信したことを示す情報をインターフェース機能を通じて受け取ると、蓄積されている検出情報をインターフェース機能を通じて携帯電話機に渡すとともに前記携帯電話機から所定のメールアドレス宛に電子メールとして送信させる指示情報を与える機能と、緊急通報情報を受信すると、前記携帯電話機から所定の電話番号先に発呼させる指示をインターフェース機能を通じて与える機能とを備えている親機とを見守り対象者宅設備として設け、
前記携帯電話機には前記親機に装着されると前記インターフェース機能と接続されて親機との間で情報の授受を行うインターフェース機能を備えるとともに、前記親機からの指示情報に基づいて前記親機から受け取った検出情報を電子メールとして前記所定のメールアドレス宛に発呼送信するメール機能と、前記親機から緊急通報の発呼の指示情報があると、所定の電話番号に対する発呼を行う発呼機能を備えていることを特徴とする。
【００１１】
請求項２の発明では、請求項１の発明において、前記メールアドレスは前記携帯電話機に予め登録されているメールアドレスであることを特徴とする。
【００１２】
請求項３の発明では、請求項１又は２の発明において、前記発呼先の電話番号は携帯電話機に予め登録されている電話番号であることを特徴とする。
【００１３】
請求項４の発明では、請求項１乃至３の何れかの発明において、前記親機で前記設定時刻と比較する現在時刻の時計情報をインターフェース機能を介して携帯電話機の時計機能から受け取ることを特徴とする。
【００１４】
請求項５の発明では、請求項１乃至４の何れかの発明において、前記親機には装着された前記携帯電話機が発呼した電話番号先との間で通話路が確立されたときに前記携帯電話機を通じて通話音声の送受を行う通話手段を備えていることを特徴とする。
【００１５】
請求項６の発明では、請求項１乃至５の何れかの発明において、前記携帯電話機には、携帯時にＧＰＳ衛星からのＧＰＳ電波を受信して当該携帯電話機の位置情報を取得するＧＰＳ機能を備えるとともに、取得した位置情報を携帯電話用通信網を通じてセンターサーバへ転送する機能を備え、
前記センターサーバには転送されてくる位置情報を前記携帯電話機毎に識別できるように保持し、前記携帯電話用通信網を通じて端末からのアクセスにより指示された携帯電話機の位置情報を前記端末側へ携帯電話用通信網を通じて送出する機能を備えていることを特徴とする。
【００１６】
請求項７の発明では、請求項６の発明において、前記携帯電話機には、所定の電話番号先に発呼を行う発呼釦を備え、該発呼釦の操作時に前記所定の電話番号先に発呼を行って当該電話番号先の端末に対して取得している当該携帯電話機の位置情報を転送するとともに、電話番号先の端末との間で通話路を確立させる機能を備えていることを特徴とする。
【００１７】
【発明の実施の形態】
以下本発明を一実施形態により説明する。
【００１８】
図１は本発明の全体システムを示しており、このシステムでは見守り対象者の宅内の所定位置に夫々設置される複数の人感センサ装置１…と、宅内において見守り対象者が携行する緊急通報発信器２と、携帯電話機の通信可能圏内に位置する宅内の適宜な場所に設置される充電器機能付き親機３と、ＧＰＳ機能付き携帯電話機４とで構成される。
【００１９】
人感センサ装置１は図２に示すように焦電センサ等、人体から発せられる熱線で人体を検知する人感センサ１０と、この人感センサ１０からの人体検出信号を所定形式の検出情報に変換する信号処理機能を含め装置全体の制御処理を行うＣＰＵ部１１と、ＣＰＵ部１１からの検出情報をＣＰＵ部１１の制御の下で定期的に所謂小電力無線用の無線電波としてアンテナ１２より変調送信するＲＦ送信部１３と、ＣＰＵ部１１のプログラム等を格納したＰＲＯＭ１４と、データの一時格納やＣＰＵ部１１の演算処理動作に用いるワークエリアを提供するＲＡＭ１５と、電池電源（図示せず）で構成され、行動監視エリアに存在する造営物などに取り付けられる。
【００２０】
緊急通報発信器２は図３に示すように押し釦スイッチ２０と、この押し釦スイッチ２０の押し操作があると、所定形式の緊急通報情報を出力する信号処理機能を含め発信器全体の制御処理を行うＣＰＵ部２１と、ＣＰＵ部２１からの緊急通報情報をＣＰＵ部２１の制御の下で所謂小電力無線用の無線電波としてアンテナ２２より変調送信するＲＦ送信部２３と、ＣＰＵ部２１のプログラム等を格納したＰＲＯＭ２４と、データの一時格納やＣＰＵ部２１の演算処理動作に用いるワークエリアを提供するＲＡＭ２５と、電池電源（図示せず）とで構成され、首から紐や鎖でさげられるように器体がペンダント型となっている。
【００２１】
親機３は図１に示すように携帯電話機４の下部を親機本体５の上面に開口した装着部６に嵌合すると装着部６内で携帯電話機４の充電用端子（図示せず）に充電出力端子が接続され、携帯電話機４の情報入出力端子（図示せず）に親機側情報入力端子（図示せず）が接続され、また携帯電話機４の通話音声出力端子（図示せず）及び通話音声入力端子（図示せず）が親機３の通話音声入力端子（図示せず）及び通話音声出力端子（図示せず）が接続される構成となっているもので、親機本体５内には図４に示す回路部が設けられている。
【００２２】
つまり親機３の回路部は交流電源ＡＣを整流して所定の直流電圧に変換して親機自体の動作電源及び電池充電用電源を出力する電源部３０と、この電源部３０からの電池充電用電源から上記の充電出力端子へ充電用電力を給電する充電部３１と、上記情報入力端子、上記充電出力端子、上記通話音声入力端子及び上記通話音声出力端子からなり、装着部６内に装着される携帯電話機４側の対応端子と電気的に接続するインターフェース部３２と、通話路が確立されている携帯電話機５からの通話音声を上記通話音声入力端子から取り込んでスピーカＳＰより出力させ、またマイクＭＩＣを通じて入力される音声を通話音声として通話音声出力端子より携帯電話機５へ送る機能を備えてハンズフリーによる通話をＣＰＵ部３４の制御の下で可能とする通話処理部３３と、アンテナ３５を通じて受信する人感センサ装置１の検知情報や緊急通報発信器２の緊急通報情報を含む無線電波をアンテナ３５を通じて受信して復調するＲＦ受信部３６と、親機３全体の制御と信号処理を行う上記ＣＰＵ部３４と、ＣＰＵ部３４のプログラム等を格納しているＰＲＯＭ３７と、データの一時格納やワークエリア確保のために用いるＲＡＭ３８とから構成され、ＣＰＵ部３４には次のような機能が備わっている。
【００２３】
つまりＲＦ受信部３６で受信する検出情報をＲＡＭ３８に所定期間（例えば最近の過去２４時間分）蓄積させる処理機能と上記インターフェース部３２の情報入出力端子を通じて携帯電話機４からの現在の時刻情報を受け取る処理と、受け取った時刻と予め設定してある設定時刻との比較を行って現在の時刻が設定時刻になったときに、ＲＡＭ３８に蓄積している検出情報を転送するとともに電子メールを発呼送信させるための指示情報を送る機能と、或いは携帯電話機４から検出情報の転送要求を示す情報が送られてきたときにＲＡＭ３８に蓄積している検出情報を転送する機能と、緊急通報情報を受信したときに携帯電話機４側へ緊急通報のための発呼処理を行うように指示する情報を送る機能と、上記通話処理部３５の制御を行う機能とを少なくとも実現できるようにプログラムされている。
【００２４】
次に本発明システムに用いる携帯電話機４は、携行中にはＧＰＳ衛星からの電波を受けて当該携帯電話機４の位置情報を取得するＧＰＳ機能を備えたものであって、図５に示すような回路構成となっている。
【００２５】
まず携帯電話機４全体の信号処理及び制御処理を担うＣＰＵ部４０にはバスを通じて、ダイヤルキー等操作スイッチや液晶表示器を含む操作／表示部４１、ＣＰＵ部４０のプログラム等を格納しているＰＲＯＭ４２、データの一時格納やワークエリアを確保するためのＲＡＭ４３、メールアドレスや電話番号簿を登録するためのＦＲＡＭ４４、実時間を計時する時計部４５とを夫々接続している。
【００２６】
一方アンテナ４６を通じて携帯電話用通信網の基地局１００との間で交信するための送受信部４７と、発呼、着信、通話路確立等の携帯電話機としての送受信処理をＣＰＵ部４０の制御の下で行う送受信処理部４８と、通話用のスピーカＳＰ１及びマイクＭＩＣ１と、着信音を報知するリンガー回路４９とを携帯電話機機能部として備えている。
【００２７】
またＧＰＳ機能としてＧＰＳ衛星からの電波を受信するＧＰＳ用受信部５０と、ＧＰＳ電波から所定の情報を得る処理を行うＧＰＳ信号処理部５１とを備え、ＣＰＵ部４０の演算機能を用いてＧＰＳ信号処理部５１で得た情報から当該携帯電話機４の３次元位置を演算するようになっている。
【００２８】
尚ＧＰＳ機能としては、ＧＰＳ衛星からのＧＰＳ電波を受信し、携帯電話通信網に接続されている位置情報計算用サーバ（図示せず）へ受信情報を送って位置情報計算用サーバで位置演算を行わせ、その位置演算結果を自己の位置情報として受け取る機能であっても良い。
【００２９】
そして上記のように親機３の親機本体５の装着部６に装着したときに親機３側のインターフェース部３２と接続されるインターフェース部６０を備えている。つまりインターフェース部３２の充電出力端子に接続される充電入力端子と、親機３側との情報入出力端子と接続され、親機３との間で情報授受を行うための情報入出力端子と、親機３側の通話音声入力端子に接続される通話音声出力端子と、親機３側の通話音声出力端子に接続される通話音声入力端子とを備えている。
【００３０】
そして携帯電話機４の電源として充電電池ＢＴが用いられ、この充電電池ＢＴの電圧は電源部６１で所定の電圧に変換され携帯電話機４の各回路の動作電源として供給されるようなっている。また充電電池ＢＴは、親機本体５の装着部６に携帯電話機４が装着したときに親機３側の充電部３１からの充電出力で充電されるようなっている。
【００３１】
次に携帯電話機４のＣＰＵ部４０の機能について説明する。このＣＰＵ部４０は携帯電話機４が親機本体５の装着部６に装着されているときの機能として、時計部４５からの時刻情報を親機３側からの要求に応じて送る機能と、電子メールの発呼送信の指示があると、ＦＲＡＭ４４に予め登録している見守り用のメールアドレス先に親機３から転送されてくる人感センサ装置１の検出情報を電子メールとして発呼送信するメール機能と、緊急通報情報に対応する発呼の指示が親機３からあると、ＦＲＡＭ４４に予め登録している緊急連絡用の電話番号に対する発呼を行う機能とを備えている。
【００３２】
また携行されているときには、上記のＧＰＳ機能によって当該携帯電話機４の位置情報を演算取得するとともに、予めＦＲＡＭ４４に登録している管理センター（サービス提供業者が設置）のセンターサーバ７へ携帯電話用通信網及びインターネット１０１を通じて定期的に送信する機能と、操作／表示部４１に設けられた発呼釦（図示せず）の操作されたときに予めＦＲＡＭ４４に登録している所定の電話番号に発呼を行い、回線が確立されたときに、現在の位置情報を発呼先の端末へ転送するとともに、相手先との通話路を確立させる機能とを備えている。
【００３３】
勿論一般的な携帯電話機４に備わっている通常のメール機能や付加的なサービスを受ける機能を有するのは勿論である。尚電話番号やメールアドレスの登録方法は、既存の携帯電話機４の方法に準ずるものを採用しており、ここではその方法についての説明は省略する。
【００３４】
尚図６はＦＲＡＭ４４の登録内容の模式図を示す。
【００３５】
この図で示すようにＦＲＡＭ４４は電子メール用のメールアドレス格納エリアＡ１と、電話番号格納エリアＡ２とを有し、メールアドレス格納エリアＡ１は一般用メールアドレス格納部ａ１０と、見守り用メールアドレス格納部ａ１１とに分けられ、前者の格納部ａ１０には携帯電話機４の所有者（見守り対象者）が日常的に使用するメールアドレスが、後者の格納部ａ１１には見守りのための人感センサ装置１の検出情報の送信先（家族や見守りのためのサービス提供業者）のメールアドレスが夫々登録される。
【００３６】
また電話番号格納エリアＡ２は、一般用電話番号格納部ａ２０と、緊急通報用電話番号格納部ａ２１とに分けられ、前者の格納部ａ２０には携帯電話機４の所有者（見守り対象者）が日常的に使用する電話番号が、後者の格納部ａ２１には緊急通報先（家族やサービス提供業者）の電話番号が夫々登録される。
【００３７】
センターサーバ７には転送されてくる位置情報を前記携帯電話機毎に識別できるように保持し、前記携帯電話用通信網を通じて携帯電話機を含む通信端末からのアクセスにより指示された携帯電話機の位置情報を通信端末側へ携帯電話用通信網を通じて送出する機能を備えているものとする。
【００３８】
次の本発明システムの動作を図７〜図９に基づいて説明する。
【００３９】
図７は携帯電話機４が親機本体５に装着されているときに定期的に人感センサ装置１からの検出情報を所定のメールアドレスへの転送を行う場合を示す。
【００４０】
この場合親機本体５に装着された携帯電話機４に対して親機３は一定時間毎に時刻情報を送るように要求する（１）。この要求に応じて親機３に対して携帯電話機４は時計部４５が計時している現在の時刻情報を送る（２）。一方各人感センサ装置１は検出情報を一定時間毎に送信し（３）、親機３では受信する検出情報を蓄積する。
【００４１】
そして親機３ではＣＰＵ部３４が携帯電話機４から時刻情報が送られてくる度に予め設定している設定時刻とを比較し（４）、時刻情報と設定時刻とが一致すると、電子メールの発呼送信を携帯電話機４に要求する（５）とともに、蓄積している検出情報を携帯電話機４に送出する。
【００４２】
携帯電話機４は電子メールの発呼送信の要求を受け取ると、ＦＲＡＭ４４に予め登録している見守り用メールアドレス宛に、所定のコメントと親機３から受け取った検出情報とを電子メールとして発呼送信する（６）。
【００４３】
これにより、上記メールアドレスの所有者（例えば見守り対象者の家族や、サービス提供業者）は、送られてくる電子メールにより見守り対象者の状況を把握することができ、行動検出がなくなっている場合などの場合には見守り対象者の家へ駆けつけることで確認する等の対処が迅速にとれることになる。
【００４４】
上記図７は、定期的に人感センサ装置１の検出情報を見守り用メールアドレス宛に送信する場合を示すものであるが、検出情報（３）の送信要求を見守り側から行うことができる。定常的には携帯電話機４に対する親機３の時刻情報の要求（１）と、この要求（１）に応えた携帯電話機４からの時刻情報送り（２）と、更に各人感センサ装置１から親機３への定期的な検出情報の送信（３）とが行われ、また上述の設定時刻になれば携帯電話機４を通じて見守り側への電子メールの発呼送信が行われるが図８に示すように電子メールが携帯電話機４のアドレス宛に着信する（７）と、携帯電話機４では送信側のメールアドレスと見守り用メールアドレスとの照合を行い（８）、一致すれば電子メール着信情報を親機３へ携帯電話機４から送られる（９）。
【００４５】
そしてこの電子メール着信情報を受け取った親機３ではＣＰＵ部３４の制御の下で電子メールの発呼送信を携帯電話機４に要求する（５）’とともに、蓄積している検出情報を携帯電話機４に送出する。
【００４６】
携帯電話機４は電子メールの発呼送信の要求を受け取ると、ＦＲＡＭ４４に予め登録している見守り用のメールアドレス宛に、所定のコメントと親機３から受け取った検出情報とを電子メールとして発呼送信する（６）’。
【００４７】
これにより、上記メールアドレスの所有者（例えば見守り対象者の家族や、サービス提供業者）は、任意の時刻に見守り対象者の状況を把握することができ、行動検出がなくなっている場合などの場合には見守り対象者の家へ駆けつけることで確認する等の対処が迅速にとれることになる。
【００４８】
かように見守り対象者が携帯電話機４を親機本体５に装着することで、携帯電話機４の充電電池ＢＴを充電することができるとともに、行動検出を行う人感センサ装置１の検出情報を定期的に見守り側へ電子メールとして送信することができ、また見守り側から任意に電子メールとして検出情報を送信するように要求することができ、見守り側では検出情報の電子メールを受け取るとこで見守り対象者の安否の確認とともに在宅を確認することができるのである。
【００４９】
また本発明システムでは、見守り対象者が宅内で不都合が生じた場合、携行している緊急通報発信器２の押し釦スイッチ２０を押し操作すれば、予め登録している緊急通報先に通報することもできる。
【００５０】
つまり図９に示すように緊急通報発信器２の押し釦スイッチ２０を押し操作されると、その押し操作情報が緊急通報発信器２から送信される（１０）。
【００５１】
親機３はこの押し操作情報を受信すると、ＣＰＵ部３４の制御の下で通報要求を携帯電話機４へ送る（１１）。
【００５２】
携帯電話機４はこの通報要求に応えてＦＲＡＭ４４に予め登録されている緊急通報用の電話番号に対して発呼し（１２）、この発呼に対して発呼相手が応答して通話路が確立されると（１３）、相手先が応答した情報を親機３へ送る（１４）。親機３はこの応答情報を受け取ると、ＣＰＵ部３４の制御の下で通話処理部３３が動作し、親機３のマイクＭＩＣ及びスピーカＳＰを用いて相手先との通話（１５）が可能となり、見守り対象者は状況を相手に伝えることができることになる。
【００５３】
上記の一連の動作は見守り対象者が在宅中で携帯電話機４を親機本体３に装着した場合であるが、携帯電話機４を見守り対象者が携行している場合には、携帯電話機４は、見守り対象者の存在位置を発信する装置として機能する。
【００５４】
つまり、携帯電話機４は搭載しているＧＰＳ機能によって当該携帯電話機４の位置情報を演算取得するとともに、予め見守り対象者の見守りを行う管理センターのセンターサーバ７へ携帯電話用通信網からインターネット１０１を通じて定期的に発呼送信するようになっている。
【００５５】
ここでセンターサーバ７では位置情報を蓄積し、例えば、予めパスワードやＩＤを付与されアクセスが許可された見守り側（見守り対象者の家族やサービス提供業者）に対してＷｅｂサイトを通じて閲覧することができるようになっている。
【００５６】
従って、見守り側ではセンターサーバ７の提供するＷｅｂサイトに対して携帯電話機やコンピュータ等によってアクセスし、蓄積されている見守り対象者の位置情報を閲覧することで見守り対象者の最新の位置と、移動状況（徘徊情報）を知ることができる。
【００５７】
また携帯電話機４を携行する見守り対象者が、緊急事態発生時などに携帯電話機４の操作／表示部４１に設けられた発呼釦（図示せず）を操作すると、携帯電話機４は予めＦＲＡＭ４４に登録している緊急通報用電話番号に発呼を行い通話路が確立されたときに、現在の位置情報を相手先の電話機に音声等で伝達するととともに、相手先との間で通話ができるようになる。これにより緊急事態が発生したことを相手に伝えることができ、また救急車などの手配が必要な場合には、位置情報によって確実な出動要請が行える。
【００５８】
【発明の効果】
請求項１の発明は、見守り対象者の宅内に設置されて、見守り対象者の宅内行動を検出し、その検出情報を定期的に無線電波で送信する１乃至複数の人感センサ装置と、
操作釦が操作されると、緊急事態発生を示す緊急通報情報を無線電波で送信する緊急通報発信器と、
携帯電話機が装着されると該携帯電話機の電源用充電電池を充電する充電器機能と、前記人感センサ装置及び緊急通報発信器からの無線電波を受信する受信機能と、受信される前記検出情報を一定期間蓄積する機能と、装着状態の前記携帯電話機との間で情報授受を行うインターフェース機能と、設定時刻になると又は前記携帯電話機に検出情報要求を示す電子メールが着信したことを示す情報をインターフェース機能を通じて受け取ると、蓄積されている検出情報をインターフェース機能を通じて携帯電話機に渡すとともに前記携帯電話機から所定のメールアドレス宛に電子メールとして送信させる指示情報を与える機能と、緊急通報情報を受信すると、前記携帯電話機から所定の電話番号先に発呼させる指示をインターフェース機能を通じて与える機能とを備えている親機とを見守り対象者宅設備として設け、
前記携帯電話機には前記親機に装着されると前記インターフェース機能と接続されて親機との間で情報の授受を行うインターフェース機能を備えるとともに、前記親機からの指示情報に基づいて前記親機から受け取った検出情報を電子メールとして前記所定のメールアドレス宛に発呼送信するメール機能と、前記親機から緊急通報の発呼の指示情報があると、所定の電話番号に対する発呼を行う発呼機能を備えているので、在宅中の見守り対象者の宅内での行動検出を行う人感センサ装置からの検出情報を定期的又は要求に応じて外部へ送信する機能として携帯電話機のメール送信機能を利用し、また緊急通報発信器からの緊急通報情報に基づく通報に用いる通信機能を携帯電話機の機能を利用して行い、人感センサ装置からの検出情報や緊急通報情報を受信する親機側での機能の省略が図れ、そのためコスト的にも安価となり、ユーザ（見守り対象者）の負担を軽減することができ、しかも検出情報の電子メールの送信の有無により、見守り対象者が在宅中か不在かを見守り側で知ることができるという効果がある。
【００５９】
請求項２の発明は、請求項１の発明において、前記メールアドレスは前記携帯電話機に予め登録されているメールアドレスであるので、親機側にはメールアドレスの登録手段が不要で、携帯電話機が備えているメールアドレスの登録手段をそのまま利用することが可能となるという効果がある。
【００６０】
請求項３の発明は、請求項１又は２の発明において、前記発呼先の電話番号は携帯電話機に予め登録されている電話番号であるので、親機側に電話番号の登録手段が不要で、携帯電話機が備えている電話番号の登録手段をそのまま利用することが可能となるという効果がある。
【００６１】
請求項４の発明は、請求項１乃至３の何れかの発明において、前記親機で前記設定時刻と比較する現在時刻の時計情報をインターフェース機能を介して携帯電話機の時計機能から受け取るので、親機側に時計機能を備える必要がなく、携帯電話機が備えている時計機能をそのまま流用できるという効果がある。
【００６２】
請求項５の発明は、請求項１乃至４の何れかの発明において、前記親機には装着された前記携帯電話機が発呼した電話番号先との間で通話路が確立されたときに前記携帯電話機を通じて通話音声の送受を行う通話手段を備えてので、携帯電話機の電話機能を利用した通話が行えるという効果がある。
【００６３】
請求項６の発明は、請求項１乃至５の何れかの発明において、前記携帯電話機には、携帯時にＧＰＳ衛星からのＧＰＳ電波を受信して当該携帯電話機の位置情報を取得するＧＰＳ機能を備えるとともに、取得した位置情報を携帯電話用通信網を通じてセンターサーバへ転送する機能を備え、
前記センターサーバには転送されてくる位置情報を前記携帯電話機毎に識別できるように保持し、前記携帯電話用通信網を通じて端末からのアクセスにより指示された携帯電話機の位置情報を前記端末側へ携帯電話用通信網を通じて送出する機能を備えているので、見守り対象者が携帯電話機を携行して外出しているときには、見守り者側は携帯電話機の位置情報を必要に応じて知ることができ、そのため見守り対象者の現在位置や移動状況（徘徊状況）を把握することができるという効果がある。
【００６４】
請求項７の発明は、請求項６の発明において、前記携帯電話機には、所定の電話番号先に発呼を行う発呼釦を備え、該発呼釦の操作時に前記所定の電話番号先に発呼を行って当該電話番号先の端末に対して取得している当該携帯電話機の位置情報を転送するとともに、電話番号先の端末との間で通話路を確立させる機能を備えているので、見守り対象者自身の操作で、携行中の携帯電話機から所定の電話番号先の端末に位置情報の送信と電話番号先の端末との間で通話を可能とし、外出中の緊急事態発生にも救助要求を通報先に対して行え、また位置情報により救助側も迅速に当該位置へ出動できるという効果がある。
【図面の簡単な説明】
【図１】本発明の一実施形態のシステム構成図である。
【図２】同上に用いる人感センサ装置の回路構成図である。
【図３】同上に用いる緊急通報発信器の回路構成図である。
【図４】同上に用いる親機の回路構成図である。
【図５】同上に用いる携帯電話機の回路構成図である。
【図６】同上に用いる携帯電話機内のＦＲＡＭのエリア構成説明図である。
【図７】同上の携帯電話機を親機に装着しているときの定常時の動作説明図である。
【図８】同上の携帯電話機を親機に装着しているときの見守り側からのメール要求時のの動作説明図である。
【図９】同上の携帯電話機を親機に装着しているときの緊急通報時の動作説明図である。
【符号の説明】
１  人感センサ装置
２  緊急通報発信器
３  親機
４  携帯電話機
５  親機本体
７  センターサーバ
１００  基地局
１０１  インターネット
【図１】
2004258781.tif 000003
【図２】
2004258781.tif 000004
【図３】
2004258781.tif 000005
【図４】
2004258781.tif 000006
【図５】
2004258781.tif 000007
【図６】
2004258781.tif 000008
【図７】
2004258781.tif 000009
【図８】
2004258781.tif 000010
【図９】
2004258781.tif 000011